(57)【要約】【課題】バスユニットを設置するまでの工期を短くできると共に、バスユニットの設置場所の気密断熱性を確保しやすくする。【解決手段】  建物のバスユニット設置空間３０を取り囲む土台１,１の間に複数の吊架台３を間隔をあけて懸架する。吊架台３は、土台１,１に係止される係止部４と、バスユニット２０が載置される吊架台本体５とからなる。バスユニット設置空間３０を気密に覆うための複数の板状断熱材９を吊架台本体５の両側に沿ってそれぞれ配置すると共に、各板状断熱材９を支持するための受け具６（７、８）を土台１（２）の側面及び前記吊架台本体５の側面から一体に突設させたバスユニットの設置構造である。【選択図】図１
2012154050.tif 000002
【特許請求の範囲】
【請求項１】
建物のバスユニット設置空間を取り囲む土台と土台の間に複数の吊架台を間隔をあけて懸架し、前記吊架台は、前記土台に係止される係止部と、バスユニットが載置される本体部とからなり、前記バスユニット設置空間を気密に覆うための複数の板状断熱材を前記本体部の両側に沿ってそれぞれ配置すると共に、前記各板状断熱材を支持するための受け具を前記土台の側面及び前記本体部の側面から一体に突設させたことを特徴とするバスユニットの設置構造。
【発明の詳細な説明】
【技術分野】
【０００１】
本発明は、吊架台を用いた吊式のバスユニットの設置構造に関するものである。
【背景技術】
【０００２】
従来からバスユニットの設置方式として、図４に示すように、浴室の土間を土間コンクリート２１で平坦にしてから、その上にバスユニット２０を直接設置した方式が知られている。
【０００３】
また、図５に示すように、バスユニット設置空間３０を囲む土台１,１間に複数の吊架台３を間隔をあけて懸架して、吊架台３の本体部５の上にバスユニット２０を設置した吊式が知られている（例えば、特許文献１参照）。
【先行技術文献】
【特許文献】
【０００４】
【特許文献１】特開平９−１３１２７４号公報
【発明の概要】
【発明が解決しようとする課題】
【０００５】
ところが、上記特許文献１の従来例では、図４のように土間コンクリート２１上にバスユニット２０を設置する直置き式では、浴室をリフォームする際、バスユニット２０自体の組立は約１日程度で完了する。しかし組み立てる場所の強度を確保するため土間コンクリート２１を打つ必要があり、この場合、土間コンクリート２１が固化するのに数日かかる。リフォーム工事の場合、解体から完了して使用できるようになるのにどうしても数日かかっている。結果つ解体から工事が完了するまでの工期が長くかかるという問題がある。
【０００６】
一方、図５のような吊架台３を用いる吊式では、バスユニット設置空間３０が、吊架台３,３の間及び吊架台３と土台２との間でそれぞれ開放されている。バスユニット設置空間３０の下部は一般に外気と連通しており、その外気がバスユニット２０周囲を下方から上方へ回り込んで浴室内に侵入し易くなる。従来からユーザーの苦情の１つとして寒いというのが挙げられており、リフォームする際には断熱性を高めることが求められている。
【０００７】
本発明は上記の事情に鑑みてなされたものであって、その目的とするところは、バスユニットを設置するまでの工期を短くできると共に、バスユニットの設置場所の気密断熱性を確保しやすくできるバスユニットの設置構造を提供することにある。
【課題を解決するための手段】
【０００８】
前記の課題を解決するために、本発明に係るバスユニットの設置構造は、建物のバスユニット設置空間を取り囲む土台と土台の間に複数の吊架台を間隔をあけて懸架し、前記吊架台は、前記土台に係止される係止部と、バスユニットが載置される本体部とからなり、前記バスユニット設置空間を気密に覆うための複数の板状断熱材を前記本体部の両側に沿ってそれぞれ配置すると共に、各板状断熱材を支持するための受け具を前記土台の側面及び前記本体部の側面から一体に突設させたことを特徴としている。
【発明の効果】
【０００９】
本発明は、バスユニットを設置するまでの工期を短くできると共に、バスユニットの設置場所の気密断熱性を確保しやすくできるものである。
【図面の簡単な説明】
【００１０】
【図１】本発明のバスユニット設置空間の気密断熱構造を説明する斜視図である。
【図２】同上の板状断熱材の設置前の分解斜視図である。
【図３】（ａ）は図１のＡ−Ａ線に沿う断面図であり、（ｂ）は図１のＢ−Ｂ線に沿う断面図である。
【図４】（ａ）（ｂ）は従来の直置き式のバスユニット設置構造の説明図である。
【図５】（ａ）（ｂ）は従来の吊式のバスユニット設置構造の説明図である。
【発明を実施するための形態】
【００１１】
以下、本発明の実施の形態について、図面を参照しながら説明する。
【００１２】
図１は建物のバスユニット設置空間３０に吊架台３と板状断熱材９とを設置した後の施工状態の斜視図であり、図２はその分解斜視図である。図中の１０は柱である。
【００１３】
バスユニット設置空間３０を取り囲むようにして、向かい合う一対の土台１,１と他の一対の土台２,２とが設置される。土台１,２はそれぞれ木質系角材からなり、基礎コンクリートの上面に沿って横設される。
【００１４】
バスユニット２０は、浴槽と洗い場とが一体になっているものと、浴槽が別体となっていて後から載置される浴槽載置部と洗い場とからなっているものがあるが、その種類は特に問わない。
【００１５】
バスユニット２０を設置する吊架台３は、長尺形状の吊架台本体５と、この吊架台本体５の長手方向の両端部に設けられる一対の係止部４とからなる。
【００１６】
吊架台本体５の上面にはバスユニット２０の脚部２２（図３）が載置される。この吊架台本体５は、バスユニット２０の重量を支えるために、強度のある角パイプ（角型鋼管）が使用される。係止部４は、逆Ｌ字状に形成されており、土台１（２）の上面に引っ掛けられてねじ１２で固定される。
【００１７】
上記バスユニット設置空間３０において下部の外気側と上部の室内側とを遮断するために、以下の気密断熱構造が採用されている。
【００１８】
板状断熱材９は、所定寸法で断熱材を長方形の板状に成形ないしは加工したものである。断熱材の素材としては、吸水性が低く、経年変化に強い材質が適している。本例では、スタイロフォーム（商標名）と称される、押出法ポリスチレンフォームを用いる。勿論これに限らず、他の発泡ポリスチレン、発泡ポリウレタン等、各種の断熱材が挙げられる。
【００１９】
本例では、板状断熱材９の厚みは、吊架台本体５の厚みと略等しく設定されている。
【００２０】
板状断熱材９の長さ寸法は向かい合う一対の土台１,１間の間隔に等しく、幅寸法は隣り合う吊架台本体５,５間の間隔に等しく設定される。吊架台３が等間隔をあけて配置される場合は、この間隔に合わせて板状断熱材９の幅寸法も同じ幅寸法に統一される。なお、吊架台３が異なる間隔で配置される場合はその配置に応じて異なる幅寸法とする。
【００２１】
上記板状断熱材９は受け具にて支持される。受け具は、図２に示すように、土台１（２）に取り付けられる土台側受け具６（７）と、吊架台本体５の側面から突設される吊架台側受け具８とを備える。
【００２２】
一対の土台１、１の対向する側面の複数箇所には、土台側受け具６（一方の土台1側の土台側受け具は図示略）が取り付けられている。他の一対の土台２,２の対向する側面の複数箇所にも、土台側受け具７（一方の土台２側の土台側受け具は図示略）が取り付けられている。これら土台側受け具６,７は同じ構造をしたＬ形金具からなり、垂直部が土台１（２）の側面に対して釘等により固定され、水平部上に板状断熱材９の土台１（２）側の端部が支持されるようになっている。
【００２３】
一方、吊架台本体５の側面の複数箇所からは、吊架台側受け具８が突設されている。本例では、吊架台本体５を構成する角パイプの側壁の一部をＬ字状に切り倒して形成されている。つまり、吊架台側受け具８は吊架台本体５と一体形成される。これら吊架台側受け具８により、板状断熱材９の吊架台３側の端部が支持される。これら吊架台側受け具８はそれぞれ、上記土台側受け具６,７と同じ高さ位置で突設している。
【００２４】
施工にあたっては、先ず、図２に示すように、向かい合う一対の土台１,１間に複数の吊架台３を間隔をあけて懸架する。その後、吊架台本体５の両側の空間を塞ぐようにして上方から板状断熱材９を嵌め込む。このとき、隣り合う吊架台本体５間に配置される板状断熱材９の長手方向の両端部９ａ,９ｂは土台側受け具６で支持される。この板状断熱材９の側端部９ｃ,９ｄは隣り合う吊架台側受け具８で支持される。また、土台２とこれに隣り合う吊架台本体５との間に配置される板状断熱材９の長手方向の両端部９ａ,９ｂは土台側受け具６で支持される。この板状断熱材９の側端部９ｃ,９ｄは土台側受け具７とこれに対向する吊架台側受け具（図示略）とで支持される。
【００２５】
この結果、各板状断熱材９の四辺が受け具６（７,８）のいずれかで支持される。従って、バスユニット設置空間３０は、図１に示すように、吊架台３間の板状断熱材９により隙間なく気密に塞がれた状態となる。その後、バスユニット２０の脚部２２（図３）を吊架台本体５の上に載せることにより、バスユニット２０の設置工事が完了する。
【００２６】
しかして、上記バスユニット設置空間３０の気密断熱構造によれば、従来の直置き式に必要な土間コンクリートを打たなくていいので、工期を大幅に短縮できる。しかも、従来の吊式とは異なり、板状断熱材９によって良好で安定した気密断熱性能が得られる。これによりバスユニット設置空間３０の下部から浴室内への外気や冷気が侵入しにくくなる。そのうえ、板状断熱材９を支持する受け具６（７,８）を、既存の土台１（２）と吊架台３とを利用して突設させることができる。これにより板状断熱材９の支持に手間やコストがかからなくなる。
【００２７】
また、板状断熱材９に対してバスユニット２０の荷重がかからないため、受け具６（７,８）に対して上方から無理な力が作用しなくなり、受け具６（７,８）による板状断熱材９の安定支持を長期に亘って良好に持続できる利点もある。
【００２８】
さらに、板状断熱材９の両端部９ａ,９ｂは土台１,１にそれぞれ接触し、板状断熱材９の両側部９ｃ,９ｄは吊架台本体５或いは土台２にそれぞれ接触する。これにより板状断熱材９は吊架台３と土台１（２）とによって横方向の動きが規制された状態となる。結果、地震力などの横方向からの外力が加わっても板状断熱材９は受け具６（７,８）から外れにくい構造となる。
【００２９】
前記実施形態では、吊架台側受け具８を吊架台本体５の側壁の一部を水平に切り倒して形成したが、これに限らず、土台側受け具６,７の場合と同様に、Ｌ字形金具を吊架台本体５の側面に固着する構成も可能である。
【符号の説明】
【００３０】
１,２  土台
３  吊架台
４  係止部
５  吊架台本体
６,７,８  受け具
９  板状断熱材
３０  バスユニット設置空間
【図１】
2012154050.tif 000003
【図２】
2012154050.tif 000004
【図３】
2012154050.tif 000005
【図４】
2012154050.tif 000006
【図５】
2012154050.tif 000007